(57)【要約】【課題】ポンプ等の循環・濾過装置のインバータ制御を、従来のタイマ設定による方法より効率よく行うため、実際の運転状況を制御に反映する【解決手段】本発明では、残留塩素濃度もしくはその注入量，Ｐｈ値，酸化還元電位の各数値を計測する装置からの信号を受信し、循環・濾過装置の運転量を下げても構わないと判断されるときにインバータを働かせて電力を少なくすることで、電力消費量を減らす。この方法を利用すると、実際の運転状況に合わせて電力量を制御することが可能であるため、タイマ設定を利用したインバータ制御法に比べて正確かつ効率的な制御が可能である。【選択図】図１
2006247633.tif 000002
【特許請求の範囲】
【請求項１】
残留塩素計の測定結果を用いた、装置のインバータ制御方法
【請求項２】
薬液注入量の監視結果を用いた、装置のインバータ制御方法
【請求項３】
Ｐｈの測定結果を用いた、装置のインバータ制御方法
【請求項４】
ＯＲＰの測定結果を用いた、装置のインバータ制御方法
【請求項５】
請求項１乃至請求項４のうち２以上を組み合わせた、装置のインバータ制御方法
【発明の詳細な説明】
【技術分野】
【０００１】  本発明は、インバータによる電力制御の方法に関し、特に浴槽・プール等の水槽に対して用いるポンプ等の循環・濾過装置の電力制御に関する。
【背景技術】
【０００２】  従来インバータによる電力制御の方法には、タイマを用いて設定された時間に電力を抑えるものがある。これは、あらかじめ使用電力を下げたい時間を設定しておき、設定時間になると自動的に消費電力を落として使用電力を下げるものである。
【非特許文献１】  三菱電機株式会社「ＦＲＥＱＲＯＬ−Ｆ７００」カタログ  ２００４年３月版
【発明の開示】
【発明が解決しようとする課題】
【０００３】  従来の方法では、タイマ設定時間になると自動的・強制的に電力を落としてしまうため、該当の時間に装置が運転しており多くの電力を必要とする場合でも必要な電力が供給されない可能性がある。また逆に、設定時間外に電力がさほど必要でなくてもインバータが働かずに無駄な電力を消費してしまうこともある。
【課題を解決するための手段】
【０００４】  本発明は、装置の必要運転量を計測し、インバータの動作そのものを制御することで、装置の運転を制御し、結果として電力消費量を抑えるものである。本発明が用いられる対象が水槽に対して用いられる循環・濾過装置であることから、装置の必要運転量は水の汚れの度合やそれを除去する動作の量から計測できる。【０００５】  水の汚れの度合やそれを除去する動作の量とは、具体的には流水中に含まれる残留塩素，Ｐｈ，ＯＲＰの各数値や薬液注入量（薬液注入装置の動作量）であり、それらを単一ないし２以上の組み合わせて測定することにより、装置の必要運転量並びに必要電力量を把握する。【０００６】  通常、浴用に用いる水には薬液注入装置を用いて次亜塩素酸ソーダなどの薬液を注入する。しかし、入浴者が増えると塩素が水中の垢や菌などの有機物を分解し消費されて残留塩素濃度は低くなる。このことから、流水の残留塩素濃度が高くなった場合に循環・濾過装置の運転量を落とすことで、効率よく電力消費量を抑えることができるようになる。また、残留塩素濃度測定装置の測定結果を用いて、残留塩素濃度が低い場合に多くの薬液を注入するといった薬液注入装置の運転制御を行っている場合、薬液注入装置の作動量が多いほど残留塩素濃度が低いことをあらわすので、薬液注入装置の動作量が少ない場合に循環・濾過装置の運転量を落とすことでも同じ結果が得られる。【０００７】  Ｐｈとは、水溶液中の水素イオン（Ｈ＋）濃度をあらわすものである。Ｐｈが０に近いほどその水溶液は酸性に近く、Ｐｈ最大値の１４に近いほどアルカリ性に近いことをあらわす。入浴者数が増えて汚れると水溶液のＰｈは０に近く、すなわち酸性に近くなることから、Ｐｈが高くなったときに循環・濾過装置の運転量を落とせばよいことになる。【０００８】  ＯＲＰとは、酸化還元電位つまり水溶液の酸化力（または還元力）の強さを表わす指標のことである。これは、数値が大きいほど酸化還元電位が高いことをあらわす。次亜塩素酸は酸化力の強い物質であるから、ＯＲＰが大きい値を示しているときは次亜塩素酸の濃度が高いとも取れる。つまり、汚れや菌が少なく、注入した次亜塩素酸ソーダが消費されていないということであるから、ＯＲＰが高いときに循環・濾過装置の運転量を落とすとよい。【０００９】  本発明では、段落番号０００６乃至０００８で述べた各数値を計測する装置からの信号を受信し、循環・濾過装置の運転量を下げても構わないと判断されるときにインバータを働かせて電力を少なくすることで、電力消費量を減らす。また、運転量が多く必要であると判断されるときは、インバータの働きを弱めまたは停止させて電力を多く供給することで、運転量を回復させる。
【発明の効果】
【００１０】  本発明では、実際の運転状況に合わせて電力量を制御するため、タイマ設定を利用したインバータ制御法に比べて正確かつ効率的な制御が可能である。
【発明を実施するための最良の形態】
【００１１】  以下、本発明の実施形態を図面とともに説明する。図１は、本発明のうち塩素濃度，Ｐｈ，ＯＲＰの測定結果を用いて制御する場合の循環・濾過システムのフローを模式的にあらわしたものである。また図２は、本発明のうち薬液の注入量に応じて制御する場合の循環・濾過システムのフローを模式的にあらわしたものである。【００１２】  塩素濃度，Ｐｈ，ＯＲＰの測定結果を用いて制御する場合は、図１のように配管６を通る水の塩素濃度，Ｐｈ，ＯＲＰ値を測定装置１にて計測し、本発明を用いた制御装置２へ信号として送信する。本発明を用いた制御装置２では、測定結果の信号を元に必要な運転量すなわち電力量を判断し、インバータ３へ制御信号を送信する。制御信号を受信したインバータ３は、循環・濾過装置４へ送る電力量を調整する。【００１３】  測定装置２台以上を組み合わせて使用する場合も同じく、各測定装置からの信号が制御装置２へ送信される。これは、各測定装置間での通信について制限するものではない。また、単一の制御盤内に測定装置１，本発明を用いた制御装置２，インバータ３のうち２以上が組み込まれていたり、それらが循環・濾過装置４の制御盤内に組み込まれていたりといった形態でもよく、各装置の独立性を制限するものではない。【００１４】  なお、図１では塩素濃度，Ｐｈ，ＯＲＰの測定装置が１台のみ存在しているかのように描かれているが、段落番号００１３でも述べたように２台以上を組み合わせても使用できる。これは、全ての組み合わせを記すと煩雑になる上、機構は同じであるので、混乱を避けるために代表的な図を掲出したためである。【００１５】  薬液の注入量に応じて制御する場合、薬液注入装置７からの薬液の注入量すなわち動作量を信号として、本発明を用いた制御装置２へ送信する。以後は段落番号００１２で述べたことと同じように、制御装置２で信号を元に必要な電力量を判断し、インバータ３へ制御信号を送信、インバータ３が、循環・濾過装置４へ送る電力量を調整する。【００１６】  薬液注入量と塩素濃度，Ｐｈ，ＯＲＰの測定結果を組み合わせる場合も、段落番号００１３で述べた仕組みと同じく、薬液注入装置７と塩素濃度，Ｐｈ，ＯＲＰの測定装置１のそれぞれから発せられた信号が本発明を用いた制御装置２へ送信されるもので、各測定装置間での通信について制限しない。また、単一の制御盤内に薬液注入装置７，本発明を用いた制御装置２，インバータ３のうち２以上が組み込まれていたり、それらが循環・濾過装置４の制御盤内に組み込まれていたりといった形態でもよく、各装置の独立性を制限するものではない。
【図面の簡単な説明】
【００１７】
【図１】  図１は、本発明のうち塩素濃度，Ｐｈ，ＯＲＰの測定結果を用いて制御する場合の循環・濾過システムのフローを模式的にあらわしたものである。
【図２】  図２は、本発明のうち薬液の注入量に応じて制御する場合の循環・濾過システムのフローを模式的にあらわしたものである。
【符号の説明】
【００１８】    １    塩素濃度，Ｐｈ，ＯＲＰの測定装置
２    本発明を用いた制御装置
３    インバータ
４    循環・濾過装置
５    水槽
６    水の流れる主配管
７    塩素濃度，Ｐｈ，ＯＲＰを測定するための配管
８    信号を送受信するための結線
９    薬液注入装置
１０  薬液を注入するための配管
【図１】
2006247633.tif 000003
【図２】
2006247633.tif 000004